(57)【特許請求の範囲】
【請求項１】
ユーザ端末および光アクセスネットワークに接続される送受信回路と、この送受信回路の出力に接続される第一の受信バッファと、この第一の受信バッファの出力を入力しそのフォーマットを変換してＣＰＵバスに出力するＣＰＵ通信フォーマット変換部と、ＣＰＵバスに接続されたＲＡＭ、ＲＯＭ、ＣＰＵおよび主信号通信フォーマット変換部と、この主信号通信フォーマット変換部の出力を入力する送信バッファと、この送信バッファの出力およびまたは前記光アクセスネットワークから到来する主信号と自装置内部からの主信号とを入力して前記送受信回路に出力する主信号挿入回路と、この主信号挿入回路の出力を入力してＣＰＵ通信フォーマット変換部に出力する第二の受信バッファとを備え、
前記送受信回路は前記ユーザ端末が接続されるユーザネットワークと接続され、
前記送受信回路および前記主信号挿入回路は、前記ＣＰＵ通信フォーマット変換部および前記主信号通信フォーマット変換部に設定されたアドレスにしたがって、前記ユーザネットワークから到着する前記アドレスを持つ情報を取り込む手段と、前記ユーザネットワークに前記アドレスを持つ情報を送出する手段とを含む
ことを特徴とする光回線終端装置。
【請求項２】
前記アドレスを設定する外部記憶媒体Ｒ／Ｗ器が設けられ、この外部記憶媒体Ｒ／Ｗ器は、外部記憶媒体に書き込まれたアドレス情報にしたがって前記ＣＰＵ通信フォーマット変換部および前記主信号通信フォーマット変換部にアドレスを設定する手段を含む請求項１記載の光回線終端装置。
【発明の詳細な説明】
【０００１】
【発明の属する技術分野】
本発明は光アクセスシステムに利用する。特に、光アクセスネットワークとユーザネットワークとを結合する技術に関する。
【０００２】
【従来の技術】
光アクセスネットワークとユーザ端末との間に介挿され、光回線を終端するための光回線終端装置（ＯＮＴと図示）の従来例を図４を参照して説明する。図４は従来の光回線終端装置を含む光アクセスシステムの構成図である。
【０００３】
図４に示すように、従来の光回線終端装置１は、光アクセスネットワーク２００に接続され、ユーザ端末５０が光アクセスネットワーク２００に接続された他のユーザ端末あるいはその他のノードと通信を行うときに、光回線を終端することにより、情報の送受信を実現している。
【０００４】
例えばＩＴＵ−Ｔ勧告Ｇ．９８３：”Ｈｉｇｈ  Ｓｐｅｅｄ  ｏｐｔｉｃａｌ  ａｃｃｅｓｓ  ｓｙｓｔｅｍｓ  ｂａｓｅｄ  ｏｎ  Ｐａｓｓｉｖｅ  Ｏｐｔｉｃａｌ  Ｎｅｔｗｏｒｋ（ＰＯＮ）ｔｅｃｈｎｉｑｕｅｓ”（Ｆｅｂｒｕａｒｙ  １９９８）には、ＡＴＭの光回線終端装置の機能が勧告化されている。
【０００５】
【発明が解決しようとする課題】
このような従来の光アクセスシステムでは、光回線終端装置１は、光アクセスネットワーク２００に接続されているが、ユーザネットワーク１００には接続されていない。このような構成では、ユーザ端末５０は、ユーザネットワーク１００内のノードＡまたはＢとのアクセスについては、光回線終端装置１とは無関係に行うことになる。
【０００６】
すなわち、光アクセスネットワーク２００とユーザネットワーク１００とは隔絶されており、例えば、ユーザネットワーク１００内のノードＡまたはＢに、光回線終端装置を監視制御するノードを配置するといったことは不可能である。
【０００７】
また、光アクセスネットワーク２００からユーザネットワーク１００に情報を転送し、この情報に対する応答をユーザネットワーク１００から光アクセスネットワーク２００に転送するといったことは不可能である。
【０００８】
このように従来の光回線終端装置１では、光アクセスネットワーク２００とユーザネットワーク１００とを結合することは不可能であり、これら二つのネットワーク間での情報のやりとりは困難である。
【０００９】
また、光回線終端装置１は、通常、ユーザ宅内に配置されており、ユーザネットワーク１００と接続するユーザ端末５０の一部機能をこの光回線終端装置１が代行することができたら、光回線終端装置１の利用効率を向上させることができるが、従来の光回線終端装置１では、ユーザネットワーク１００との接続ができないため、そのようなことは不可能である。
【００１０】
本発明は、このような背景に行われたものであって、ユーザネットワークと光アクセスネットワークとを結合することができる光回線終端装置を提供することを目的とする。本発明は、ユーザネットワークからの監視制御を可能にすることができる光回線終端装置を提供することを目的とする。本発明は、ユーザネットワークにつながるパソコンなどのユーザ端末の一部機能を代行することができる光回線終端装置を提供することを目的とする。
【００１１】
【課題を解決するための手段】
本発明は、光回線終端装置に、ユーザネットワークと接続する機能を持たせることにより、光アクセスネットワークとユーザネットワークとを結合することを特徴とする。これにより、光アクセスネットワークとユーザネットワークとにまたがるサービスを実現することができる。また、光回線終端装置の一部機能をユーザ端末の一部機能として活用することもできるようになる。
【００１２】
本発明は、光アクセスネットワークとユーザ端末との間に設置され、光回線を終端する手段を備えた光回線終端装置であって、本発明の特徴とするところは、前記ユーザ端末が接続されるユーザネットワークとの接続手段が設けられ、この接続手段は、設定されたアドレスにしたがって前記ユーザネットワークから到着する前記アドレスを持つ情報を取り込む手段と、前記ユーザネットワークに前記アドレスを持つ情報を送出する手段とを含むところにある。
【００１３】
前記アドレスを設定する手段が設けられ、この設定する手段は、外部記憶媒体に書き込まれたアドレス情報にしたがって前記接続手段にアドレスを設定する手段を含む構成とすることが望ましい。
【００１４】
前記接続手段を制御するＣＰＵは、光回線終端装置全体を制御するＣＰＵとは別に設けてもよい。また、前記接続手段を制御するＣＰＵのためのメモリは、光回線終端装置全体を制御するＣＰＵのためのメモリとは別に設けてもよい。
【００１５】
さらに、詳しくは、本発明の光回線終端装置は、ユーザ端末および光アクセスネットワークに接続される送受信回路と、この送受信回路の出力に接続される第一の受信バッファと、この第一の受信バッファの出力を入力しそのフォーマットを変換してＣＰＵバスに出力するＣＰＵ通信フォーマット変換部と、ＣＰＵバスに接続されたＲＡＭ、ＲＯＭ、ＣＰＵおよび主信号通信フォーマット変換部と、この主信号通信フォーマット変換部の出力を入力する送信バッファと、この送信バッファの出力およびまたは前記光アクセスネットワークから到来する主信号と自装置内部からの主信号とを入力して前記送受信回路に出力する主信号挿入回路と、この主信号挿入回路の出力を入力してＣＰＵ通信フォーマット変換部に出力する第二の受信バッファとを備えた光回線終端装置である。
【００１６】
ここで、本発明の特徴とするところは、前記送受信回路は、ユーザネットワークとの接続手段を含み、この接続手段は、前記ＣＰＵ通信フォーマット変換部および前記主信号通信フォーマット変換部に設定されたアドレスにしたがって、前記ユーザネットワークから到着する前記アドレスを持つ情報を取り込む手段と、前記ユーザネットワークに前記アドレスを持つ情報を送出する手段とを含むところにある。
【００１７】
前記アドレスを設定する外部記憶媒体Ｒ／Ｗ器が設けられ、この外部記憶媒体Ｒ／Ｗ器は、外部記憶媒体に書き込まれたアドレス情報にしたがって前記ＣＰＵ通信フォーマット変換部および前記主信号通信フォーマット変換部にアドレスを設定する手段を含むことが望ましい。
【００１８】
【発明の実施の形態】
（第一実施例）
本発明第一実施例の光回線終端装置を図１および図２を参照して説明する。図１は本発明実施例の光アクセスシステムの全体構成図である。図２は本発明第一実施例の光回線終端装置の要部ブロック構成図である。
【００１９】
本発明は、図１および図２に示すように、光アクセスネットワーク２００とユーザ端末５０との間に設置され、光回線を終端する光回線終端装置１であって、本発明の特徴とするところは、ユーザ端末５０が接続されるユーザネットワーク１００との接続手段としての送受信回路１３、第一の受信バッファ９、第二の受信バッファ１０、ＣＰＵ通信フォーマット変換部７、ＣＰＵ４、ＲＯＭ３、ＲＡＭ２、主信号通信フォーマット変換部８、送信バッファ１１および主信号挿入回路１２が設けられ、送受信回路１３および主信号挿入回路１２は、ＣＰＵ通信フォーマット変換部７および主信号通信フォーマット変換部８に設定されたアドレスにしたがってユーザネットワーク１００から到着する前記アドレスを持つ情報を取り込み、ユーザネットワーク１００に前記アドレスを持つ情報を送出するところにある。
【００２０】
前記アドレスを設定する手段としての外部記憶媒体Ｒ／Ｗ器５が設けられ、この外部記憶媒体Ｒ／Ｗ器５は、ＣＤ−ＲＯＭ、フロッピィディスクなどの外部記憶媒体に書き込まれたアドレス情報にしたがってＣＰＵ通信フォーマット変換部７および主信号通信フォーマット変換部８にアドレスを設定する。
【００２１】
さらに詳しくは、光アクセスネットワーク２００、ユーザ端末５０、ユーザネットワーク１００に接続される送受信回路１３と、この送受信回路１３の出力に接続される第一の受信バッファ９と、この第一の受信バッファ９の出力を入力しそのフォーマットを変換してＣＰＵバス６に出力するＣＰＵ通信フォーマット変換部７と、ＣＰＵバス６に接続されたＲＡＭ２、ＲＯＭ３、ＣＰＵ４、外部記憶媒体Ｒ／Ｗ器５および主信号通信フォーマット変換部８と、この主信号通信フォーマット変換部８の出力を入力する送信バッファ１１と、この送信バッファ１１の出力の主信号または光アクセスネットワーク２００から到着する主信号を入力して送受信回路１３に出力する主信号挿入回路１２と、この主信号挿入回路１２と、この主信号挿入回路１２の出力を入力してＣＰＵ通信フォーマット変換部７に出力する第二の受信バッファ１０とを備える。
【００２２】
次に、本発明第一実施例の光回線終端装置の動作を説明する。上述した接続手段を有する回路は、光回線終端装置１をユーザネットワーク１００に接続するためのエージェント回路であり、このエージェント回路を有する光回線終端装置１は、外部記憶媒体Ｒ／Ｗ器５からユーザネットワーク１００と送受信する信号のアドレスをあらかじめ設定する必要があり、そのアドレス情報をＣＰＵ４はＣＰＵバス６につながるＣＰＵ通信フォーマット変換部７と主信号通信フォーマット変換部８とに設定する。
【００２３】
その後は、ユーザネットワーク１００からのこのアドレスを持つ主信号をＣＰＵ４に取り込むと共にユーザネットワーク１００に対してこのアドレスを持つ主信号を送出するという動作を実行する。また、外部記憶媒体Ｒ／Ｗ器５より光アクセスネットワーク２００から受信する主信号のアドレスをあらかじめ設定しておけば、光アクセスネットワーク２００からこのアドレスを持つ主信号をＣＰＵ４に取り込むと共に光アクセスネットワーク２００に対してこのアドレスを持つ主信号を送出するという動作を実行する。
【００２４】
したがって、光回線終端装置１では、ユーザネットワーク１００との情報のやりとりができるので、例えば、ユーザネットワーク１００のノードＡまたはＢからの光回線終端装置１の監視制御ができ、ユーザネットワーク１００からの制御により、ユーザネットワーク１００からソフトウェアのインストールを行うことができる。これにより、ユーザ端末１の機能の一部を光回線終端装置１が代行することもできる。
【００２５】
また、光アクセスネットワーク２００からの情報を蓄積することができるので、この光アクセスネットワーク２００からの情報に関するユーザネットワーク１００からの情報の問い合わせに答えるなどの異なる二つのネットワークにまたがるサービスを実現することができる。
【００２６】
（第二実施例）
本発明第二実施例の光回線終端装置を図３を参照して説明する。図３は本発明第二実施例の光回線終端装置の要部ブロック構成図である。本発明第一実施例では、光回線終端装置１内にあり、光回線終端装置１全体を制御監視しているＣＰＵとメモリについては、明記していないが、本発明第二実施例では、本発明第一実施例のＣＰＵ４とＲＡＭ２とＲＯＭ３とは別に、光回線終端装置１全体を制御監視しているＣＰＵ４０とメモリとしてのＲＯＭ３０、ＲＡＭ２０を具備する。
【００２７】
【発明の効果】
以上説明したように、本発明によれば、ユーザネットワークと光アクセスネットワークとを結合することができる。これにより、ユーザネットワークからソフトウェアをインストールするなど、光回線終端装置のユーザネットワークからの監視制御を可能にすることができる。また、光アクセスネットワークからの情報に対してユーザネットワークからその情報に答えるなどの異なる二つのネットワークにまたがるサービスが可能となる。さらに、光回線終端装置によりユーザネットワークにつながるパソコンなどのユーザ端末の一部機能を代行することができる。
【図面の簡単な説明】
【図１】本発明実施例の光アクセスシステムの全体構成図。
【図２】本発明第一実施例の光回線終端装置の要部ブロック構成図。
【図３】本発明第二実施例の光回線終端装置の要部ブロック構成図。
【図４】従来の光アクセスシステムの全体構成図。
【符号の説明】
１  光回線終端装置
２、２０  ＲＡＭ
３、３０  ＲＯＭ
４、４０  ＣＰＵ
５  外部記憶媒体Ｒ／Ｗ器
６  ＣＰＵバス
７  ＣＰＵ通信フォーマット変換部
８  主信号通信フォーマット変換部
９  第一の受信バッファ
１０  第二の受信バッファ
１１  送信バッファ
１２  主信号挿入回路
１３  送受信回路
５０  ユーザ端末
１００  ユーザネットワーク
２００  光アクセスネットワーク
Ａ、Ｂ  ノード
【図１】
0003601381.tif 000002
【図２】
0003601381.tif 000003
【図３】
0003601381.tif 000004
【図４】
0003601381.tif 000005